(57)【要約】【課題】  マンションなどの錠前で使う鍵を管理人に依頼することなく住民家族だけで安全に再発行できるドアキーシステムを提供する。【解決手段】  指紋センサーを持つＵＳＢインターフェースを持つドアの錠前を施解錠するためのＵＳＢ鍵において、管理者鍵以外に、この管理者鍵から生成されてから子鍵を生成する機能を持つマスター鍵が存在し、前記ドアにＵＳＢ鍵を差し込むためのキー受け部としての穴があり、前記マスター鍵からの二次発行で使うコードを記録するメモリーと、子鍵に対して一次発行されたブランク鍵に対して二次発行するためのアプリケーションを搭載したＣＰＵを備えるようにした。【選択図】  図１
2008106509.tif 000002
【特許請求の範囲】
【請求項１】
アクセスに際して相互認証が必要なＵＳＢインターフェースと、指紋センサーと、ＣＰＵを持つ鍵でドアの錠前を施解錠するドアキーシステムであり、鍵はゼロコード鍵、このゼロコード鍵から一次発行で生成される管理会社マスター鍵、この管理会社マスター鍵から二次発行で生成される部屋管理マスター鍵、この部屋管理マスター鍵から生成される子鍵の４種類がブランク鍵から非可逆的に生成され、前記ドアキーシステムの電子錠本体には前記部屋管理マスター鍵で前記二次発行する際に使うコードを記録するメモリーが備えられ、前記一次発行されたブランク鍵に対して二次発行処理して子鍵を生成するためのアプリケーションを搭載した電子錠制御機器が前記ドアに設けられていることを特徴とするドアキーシステム。
【発明の詳細な説明】
【技術分野】
【０００１】
本発明は、鍵の管理者の手を煩わせることなく安全かつ簡単に扉別にスペアーキーを生成することのできるＵＳＢ鍵を使ったドアキーシステムに関する。
【背景技術】
【０００２】
最近、一軒家やマンションなどで偽造の鍵が簡単に作られ、その結果屋内に入られるといった外国からの窃盗団などによるマンション、戸建住宅などの玄関扉荒らしが後を絶たない。これに対して、鍵は従来から金物で作られある程度技術を持った人間であれば簡単に複製できるという弊害があった。そのような扉に取り付ける鍵として、従来のメカニカルキーよりもセキュリティーの高い指紋やアイリスなどの生体認証において、高いセキュリティーを特徴とするドアキーシステムが開発されている。
【０００３】
電子錠と該電子錠本体に対して抜き差し可能な電子鍵とで構成する電子錠において、前記電子鍵が有する指紋読取部により読み取った指紋データーとメモリーに登録した指紋データーとが一致したときのみ前記電子錠のクラッチ構造を駆動させ、前記クラッチ構造の接続により電子鍵の旋回運動を、施解錠を行う旋回駆動部に伝動可能とする技術が開示されている。（特許文献１）
【０００４】
また、機械式鍵部に設けられ、外部に対して赤外線を放射する赤外線発光手段と、外部からの操作に応じてトリガー信号を発生する操作手段と、電子鍵データーを保存する電子鍵情報記憶手段と、前記操作手段からのトリガー信号に応答して前記電子鍵情報記憶手段から前記電子鍵データーを読み出し、駆動信号に変換するエンコード手段と、前記エンコード手段により変換された駆動信号に基づいて前記赤外線発光手段を駆動する駆動手段と、これらに電源を供給する電源供給手段とを備えた機械式・赤外線式併用二重電子錠システムについても知られている。（特許文献２）
【特許文献１】特開２００５−９００４９号公報
【特許文献２】特開２００４−２１８３７９号公報
【発明の開示】
【発明が解決しようとする課題】
【０００５】
特許文献１においては、指紋登録の際に外部コンピュータと電子鍵を接続する必要があり、登録を完了させるためには指紋登録の後に使用者ＩＤおよびオプションパスワードを入力する必要があり、使用者ＩＤとオプションパスワードを忘れると前記電子鍵の登録は出来ない。
【０００６】
特許文献２においては、段落（００４７）に『また、利用者自身で電子鍵データーを更新できるようにしておけば、機械式・赤外線式併用二重鍵１００を紛失した場合でも、紛失した機械式・赤外線式併用二重鍵１００の電子鍵データーを直ちに無効にすることができ、防犯の観点で好ましい。さらに、予備の機械式及び赤外線式併用二重鍵１００に対して、更新後の電子鍵データーを反映させることができれば、予備の機械式・赤外線式併用二重鍵１００も有効利用できる。』と記載されていて、機械式の部分は従来の機械式鍵と同様に複製できるが、電子鍵の部分の安全かつ簡単な更新方法については何ら具体的な開示が無い。
【０００７】
解決しようとする問題点は、マンションなどの各ドアを施解錠に使う鍵の再発行時に、管理者の手を煩わせることなく簡単かつ安全に子鍵を生成する鍵システムを提供することにあるが、上記の特許文献１、及び特許文献２には記載されていない。
【課題を解決するための手段】
【０００８】
本発明は、上記の課題である、管理者の手を煩わせることなく簡単かつ安全に子鍵を生成する方法を提供するために、アクセスに際して相互認証が必要なＵＳＢインターフェースと、指紋センサーと、ＣＰＵを持つ鍵でドアの錠前を施解錠するドアキーシステムであり、鍵はゼロコード鍵、このゼロコード鍵から一次発行で生成される管理会社マスター鍵、この管理会社マスター鍵から二次発行で生成される部屋管理マスター鍵、この部屋管理マスター鍵から生成される子鍵の４種類が非可逆的に生成され、前記ドアキーシステムの電子錠本体には前記部屋管理マスター鍵で前記二次発行する際に使うコードを記録するメモリーが備えられ、前記ドアには、ＵＳＢ鍵を差し込むためのキー受け部としてのＵＳＢ鍵受入部材が備えられるとともに、前記一次発行されたブランク鍵に対して二次発行処理して子鍵を生成するためのアプリケーションを搭載した電子錠制御機器の少なくとも一部が前記ドアに埋設されているようにした。
【発明の効果】
【０００９】
本発明のドアキーシステムは、指紋センサーを持つＵＳＢ鍵にはゼロコード鍵、管理会社マスター鍵、部屋管理マスター鍵、子鍵の４種類があり、スペアー鍵を作る際には管理会社マスター鍵を使わずに、一次発行したＵＳＢ鍵と部屋管理マスター鍵から子鍵を作ることができるので便利である。また、全てのＵＳＢ鍵は指紋センサーによる指紋認証機能を持っているので、万が一紛失しても他人が使うことができない。
【発明を実施するための最良の形態】
【００１０】
以下、本発明を実施するための最良の形態を図面に基づいて詳細に説明する。なお、以下の説明において、同一機能を有するものは同一の符号とし、その繰り返しの説明は省略する。
【００１１】
図１は、本発明における電子錠の適用例を示す図である。本発明によるアクセスに相互認証が必要なＵＳＢ電子錠システムは、指紋センサー付きＵＳＢ鍵５（以下、ＵＳＢ鍵５と呼ぶ）とドアに設置の電子錠本体１とで構成される。
【００１２】
電子錠本体１はドア２の裏側（室内側）に取り付けられ、同表側にはＵＳＢを差し込む孔とインジケータ（赤青ＬＥＤ）のみが取り付けられる。鍵受入部材３に適切な鍵が挿入されるとＵＳＢ鍵と電子錠本体１が相互認証して、その後に個別鍵を使った認証を受けてからラッチ４を解除し、ドア２がドア枠２ａから開放される。
【００１３】
ドア２の表面には、ＵＳＢ鍵受入部材３と赤青二色ＬＥＤ３ａが配置され、前記ＵＳＢ鍵受入部材３は大人と子供のどちらでもＵＳＢ鍵を挿入操作しやすい１ｍ前後の高さに設定されていることが望ましい。
【００１４】
図２は、電子錠の拡大斜視図である。ＵＳＢ鍵５は外見的には通常のＵＳＢメモリーデバイスと類似した外観を持ち、外部とのインターフェースはＵＳＢコネクター６を使っているが内部データーにアクセスする前に電子錠本体１とＵＳＢ鍵５が相互認証を受ける必要がある。更に、外ケースに取り付けられた指紋センサー７は内部のＵＳＢ制御基板８と接続されている。後述するように、前記指紋センサー７から検出された指紋データーから指紋特徴データーを抽出し、更に前記指紋特徴データー内部メモリーに格納した当人の指紋特徴データーと比較することによりＵＳＢ鍵本体内で指紋認証を完結することが出来る。
【００１５】
鍵の種類としては、ゼロコード鍵、管理会社マスター鍵、部屋管理マスター鍵、ブランク鍵、子鍵、の５種類があり、ゼロコード鍵、このゼロコード鍵から一次発行で生成される管理会社マスター鍵、この管理会社マスター鍵から二次発行で生成される部屋管理マスター鍵、この部屋管理マスター鍵から生成される子鍵の４種類がブランク鍵から非可逆的に生成される。ゼロコード鍵は管理会社が管理する最も大事な鍵で、管理会社マスター鍵を生成する。管理会社マスター鍵は、建物の管理者が保有し、各戸のドアにアクセスできる。部屋マスター鍵は、最初に管理会社から渡される鍵で、各戸固有の鍵で指定の戸のドアの開け閉めと、ブランク鍵を使って子鍵を生成する際に、持ち主の指紋と鍵コードの登録を許可する機能を持つ。こうして作成した子鍵は、各人が保有してドアの開閉に利用すると共に、誰かが子鍵を紛失した際の再発行の登録許可をする権限を持つ。
【００１６】
図３（ａ）は、電子錠本体の分解斜視図である。鍵受入部材３からＵＳＢ鍵５が挿入されるとＵＳＢ受入部材９と前記ＵＳＢコネクター６が電気的接触を持ち、ＵＳＢ鍵５と電子錠制御基板１０との間でデーター通信が行われる。
【００１７】
前記データー通信の結果、ＵＳＢ鍵５が正当な鍵であると認証されると、赤青二色ＬＥＤ３ａが青く光ると共に、電子錠制御基板１ａはラッチ４を解除してドア２の開閉が可能となる。
【００１８】
図３（ｂ）はドア２の外観図である。前記の通り、ドア２にはＵＳＢ受入部材３が設けられ、更に電子錠制御基板１ａからのメッセージ表示手段として赤青二色ＬＥＤ３ａがドア２の表面に設置されてる。前記一次発行されたブランク鍵に対して二次発行処理して子鍵を生成するためのアプリケーションを搭載した電子錠制御機器は全体がドア２に内蔵されていても良いし、一部が前記ドア２に埋設されていても良い。
【００１９】
図３（ｃ）は電子錠本体１の操作パネルレイアウトである。登録ボタン１０ａ、又は発行ボタン１０ｂが押されると、表示部９ａには、例えば“管理会社マスター鍵を挿入して下さい。”といった操作案内が表示され、必要に応じて数字ボタン９ｂによる数字データーの入力が可能となる。もし操作を間違えた場合には、警告ブザー９ｃが鳴報する。
【００２０】
図４は、電子鍵に使われるデーターフォーマットの例である。鍵コードのフォーマット１１には、１次発行データー１２と２次発行データー１３の２種類のデーターが含まれている。
【００２１】
鍵コードのフォーマット１１に含まれるコード（以後コードと言う）は登録時に生成される。コードは以下の項目から構成される。
（１）会社コード１４（２桁）：建物の保有者コード
（２）ロケーション１５（２桁）：建物の住所コード
（３）部屋コード１６（３桁）：部屋のコード
（４）発行日付及び時刻データー（年、月、日、時間、分、秒）(6桁)：発行日付及び時刻データー
（５）グループコード１７（２桁）：個人か法人かの区別
（６）バージョンコード１９（2桁）：鍵を再生成した回数
【００２２】
コードの生成は生成モードで子鍵が挿入されたその時間、その場所を唯一のコードとしてドア側の受容装置で生成されＵＳＢ鍵５に送られＵＳＢ鍵のメモリーの指定アドレスに格納される。同時にドア側装置のメモリーにおいても受け容れコードとして登録される。
【００２３】
上記において、前記コードのフォーマットは上記の例に限定されることはないので、必要に応じて変更が可能である。例えば、（５）グループコード１７（２桁）は前記の例にある個人か法人かの区別以外に、業種別のコードとして使うことも考えられる。
【００２４】
指紋の登録は登録モードで子鍵が挿入された時点で指を操作するとそのデーターが指定のＵＳＢ鍵５のメモリーに格納される。なお、コードが転送される時はＤＥＳなどの暗号技術を使う方法が有効であり、ハッシュとナンス（ｎｏｎｃｅ）の組合せによる認証方法を使うことも考えられる。
【００２５】
管理者鍵は部屋コード１６がゼロと指定され、最初に渡される第１番目の子鍵である子マスター鍵は部屋コードが指定されていて、該子マスター鍵のグループコードは１に設定されている。未登録の更新用の鍵にはデフォルトで部屋コードがゼロに設定してあり、これ以外のメモリー領域はブランクになっている。
【００２６】
図５（ａ）〜（ｃ）は鍵の発行方法を図示したものである。ここで、指紋センサー付きＵＳＢ鍵としては、ゼロコード鍵２１、管理会社マスター鍵２２、部屋管理マスター鍵２３、子鍵２４の４種類がある。また前記の各鍵は、ドアを使って発行されるので発行に際して特別な装置を必要としない。
【００２７】
図５（ａ）は、ゼロコード鍵２１を使って管理会社マスター鍵２２を発行するプロセスを図示したものである。この発行処理には管理室ドア２ａを使い、最初にゼロコード鍵２１を前記管理室ドア２ａに差し込む。差し込んだ状態で、前記ゼロコード鍵２１の指紋センサー７を使って指紋認証を受ける。指紋は複数登録が可能なので、専任者が不在時でも副専任者などの指紋でも作業は遂行可能であるが、内容を変更する場合には前記専任者の指紋認証が必要となる。
【００２８】
ゼロコード鍵２１の認証が済むと、次に登録しようとする管理会社マスター鍵２２の生成に使うブランク鍵をＵＳＢ受入部材９に挿入する。この状態で、前記ブランク鍵が正しいブランク鍵であるかどうかの点検が行われ、承認されると指紋センサー７による指紋登録が行われるとともに、管理会社マスター鍵２２のグループコード１７は、例えば“０”から“１”に書き換えられ、会社コード１４とロケーションコード１５が書き込まれる。なお、前記一次発行データーは、管理者マスターカードが挿入されている時だけ表示部９ａに表示されるデーターであって、部屋マスター鍵２３や子鍵２４では内容を見ることはできない。
【００２９】
図５（ｂ）は、管理会社マスター鍵２２を使って部屋管理マスター鍵２３を発行するプロセスを図示したものである。この発行処理には部屋ドア２を使い、最初に管理会社マスター鍵２２を前記部屋ドア２に差し込む。差し込んだ状態で、前記管理会社マスター鍵２２の指紋センサーを使って指紋認証を受ける。この場合も、指紋は複数登録が可能なので、専任者が不在時でも副専任者などの指紋でも作業は遂行可能である。
【００３０】
管理会社マスター鍵２２の認証が済むと、次に登録しようとする部屋マスター鍵２３の生成に使うブランク鍵をＵＳＢ受入部材９に挿入する。この状態で、前記ブランク鍵が正しいブランク鍵であるかどうかの点検が行われ、承認されると前記ブランク鍵のグループコード１７には“２”が書き込まれ、数字ボタン１０ｃからの数字データー入力により、部屋コード１６が書き込まれる。ここまでの処理で処理を中止すると、生成された鍵は子鍵２４を生成するためのスペアー鍵となる。
【００３１】
上記の工程に加えて、更に指紋センサー７による指紋登録が行われるとともに、発行日付及び時刻データー１８が書き込まれると、部屋マスター鍵２３が生成される。
【００３２】
図５（ｃ）は、部屋マスター鍵２３を使って子鍵２４を発行するプロセスを図示したものである。この発行処理には部屋ドア２を使い、最初に部屋マスター鍵２３を前記部屋ドア２に差し込む。差し込んだ状態で、前記部屋マスター鍵２３の指紋センサー７を使って指紋認証を受ける。この場合は、指紋は前記部屋マスター鍵２３のへや部屋管理登録者しか登録されていないので、前記部屋管理登録者による指紋認証が必要である。
【００３３】
部屋マスター鍵２３の認証が済むと、次に登録しようとする子鍵２４の生成に使うブランク鍵をＵＳＢ受入部材９に挿入する。この状態で、前記ブランク鍵が正しいブランク鍵であるかどうかの点検が行われ、承認されると指紋センサーによる指紋登録が行われるとともに、前記ブランク鍵のグループコード１７には“２”が書き込まれ、更にカウントアップされ、発行日付及び時刻データー１８が書き込まれると、有効な子鍵２４が生成される。
【００３４】
図６は、電子錠駆動制御部の構成を示すブロック図である。ＣＰＵ２５にはＵＳＢインターフェース部９、アプリケーションプログラム２６、電子錠ごとの固有の鍵コード等が格納されたメモリー２４、電子錠を駆動する駆動回路２５が接続され、更に前記駆動回路２５にはドア２に組み込まれたラッチ４が接続されている。前記アプリケーションプログラム２６には、登録更新用プログラム２６２２、解施錠用プログラム２３などが格納されていて、保存媒体としてはバージョンアップが可能となるＥＥＰＲＯＭなどに格納することが望ましい。
【００３５】
前記電子錠制御基板１ａの電源は、外部商用電源からの電源を使っても良いし、乾電池駆動でも良いが、停電や前記乾電池の消耗などの場合に備えて、ＵＳＢ鍵受入部材３からの電源供給でも動作するようにすることも考えられる。この場合は、二股ＵＳＢハブのような構造を持つ治具を作成し、前記ＵＳＢハブのコネクターをＵＳＢ受入部材３に挿入し、二股構造の一方のＵＳＢバスから電源を供給しながら他方にＵＳＢ鍵を接続することにより、電子錠制御基板１ａとＵＳＢ鍵ＣＰＵ２９の両方を駆動するようにする。
【００３６】
図７は、鍵制御部の構成を示すブロック図である。制御基板８上にはＵＳＢ鍵ＣＰＵ２９とメモリー３０が搭載されている。前記ＵＳＢ鍵ＣＰＵ２９には指紋センサー７が接続され、利用者の指紋が指紋センサー７にて検出され、ＵＳＢ鍵ＣＰＵ２９が搭載するアルゴリズムを使って指紋の特徴点を抽出すると、ＵＳＢ鍵ＣＰＵ２９のメモリー３０に保存されているアルゴリズムで指紋特徴データーを呼び出し、前記指紋の特徴点とメモリー３０に格納されている保存データーとを比較して、これらが合致した場合にはメモリー３０に格納された電子錠ごとの固有の鍵コードをＵＳＢインターフェース６から電子錠本体１のＵＳＢ鍵受入部材３に送出する。
【００３７】
図８は、指紋登録の手順を示すフローチャートである。電子錠本体１を使った鍵の登録は、下記の（１）から（６）の手順で行なわれる。
（１）部屋マスター鍵２３をドア２が備える電子錠本体１の鍵受入部材３に挿入してドア２を開ける。
（２）ドア１裏面の電子錠本体１にある登録ボタン１０ａを押すと登録モードとなる。
（３）次に部屋マスター鍵２３を抜き、登録する子鍵２４をドア２の鍵受入部材３に挿入する。
（４）子鍵２４の指紋センサー７に指を擦り、ドア２表面の赤青二色ＬＥＤ３ａが青色に点灯すれば登録終了となる。
（５）発行ボタン１０ｂを押すとドアの電子錠本体１で論理コードが生成され暗号化されてドア２の鍵受入部材３から子鍵２４に送られる。
（６）送られたコードは複合化され指定のメモリー３０に格納される。同時にドア２の電子錠本体１で生成されたコードはドア２が解錠を許可する鍵コード一覧としてメモリー２７に登録される。該鍵コード一覧を参照し、認証することによりドア２の表にある赤青二色ＬＥＤ３ａが青に点灯して処理が完了する。その後ドア２を閉めてから子鍵２４を抜く。
【００３８】
図９は、施解錠の手順を示すフローチャートであり、次の手順で鍵を使った解施錠を行う。
（１）子鍵２４をドア２の鍵受入部材３に挿入して登録された指で指紋センサー７を擦り、検出された指紋情報から既定のアルゴリズムで抽出した指紋特徴データーと子鍵２４のメモリー３０内の登録データーと照合する。
（２）照合の結果、合致すればメモリー３０に格納された鍵コードが暗号化されてドアの電子錠本体１に送信される。
（３）受け取ったコードが電子錠本体１のメモリー２７に登録されたコードと照合されて一致すればドア２のラッチ４は解除されてドア２は開錠される。
（４）照合の結果、合致しなければドア２の赤青二色ＬＥＤ３ａが赤色に点灯して警告ブザー９ｃが鳴るので、指紋センサー７を使って既定回数だけ指紋認証を繰り返すことが出来るが、既定回数認証されなければドア２の時はの表の赤青二色ＬＥＤ３ａが赤色に点滅して既定時間（例えば５分間）は電子錠本体１は開錠を受け付けなくなる。
【００３９】
図１０は、鍵更新登録の手順を示すフローチャートであり、次の手順で鍵の更新を行う。
（１）子鍵２４を紛失した時は、ドア２の電子錠本体１に設定されているコードを削除せず、そのままの状態で新たに子鍵２４の登録する。該登録後、もしメモリーが満杯になると、警告ブザー９ｃが鳴り、全ての登録鍵コード情報がリセットされるので、全ての鍵を新たに設定し直すか、或いはニックネームなどでＩＤを付けた名前で更新する鍵が特定できるのであれば、該特定鍵を手動削除する方法、更には決められた期間（例えば２年間）以内に鍵が使用されていない場合は自動又は手動で削除する方法が考えられる。前記のいずれの場合においても、部屋マスター鍵２３はそのまま利用できる。
（２）次に、再び子鍵２４を登録するには、部屋マスター鍵２３を挿入し登録モードにして行う。登録の時に子鍵に指紋データーが登録済みの場合と未登録の場合があるが、未登録の場合は再度、部屋マスター鍵２３を挿入して登録ボタン１０ｄを押して従来の登録手順に従う。しかし、指紋データーが登録済みの場合には、部屋マスター鍵２３を挿入して発行ボタン１０ｂを押すだけで、電子錠制御ＣＰＵ２５からコードが生成されて電子錠本体１に登録される仕組みになっているので、子鍵２４を挿入すると電子錠本体１と子鍵２４の相互認証の後に電子錠本体１の電子錠制御ＣＰＵ２５によって生成されたコードが子鍵２４に設定される。
【００４０】
なお、上記において、ＵＳＢ鍵２４と電子錠制御ＣＰＵ２５との直接認証を使って施錠や解錠をすることとしたが、更にセキュリティー性を高める目的で、前記ＵＳＢ鍵２３のＵＳＢインターフェースにＢｌｕｅｔｏｏｔｈ（登録商標）あるいはＷｉＦｉ（登録商標）による無線通信機能を付加し、前記ＵＳＢ鍵のＵＳＢ機能部が持つシリアル番号を前記制御ＣＰＵ２１が確認した後に、無線通信で第２の相互認証をしてから施錠又は解錠することも考えられる。
【００４１】
また、ＵＳＢ鍵５内部のＣＰＵ２９による指紋認証を第１の指紋認証段階とし、この第１の指紋認証をスイッチとして、暗号化した暗証番号を前記ＵＳＢ鍵から電子錠本体１に送出し、更に前記暗証番号を決められたアルゴリズムで解施錠毎に電子錠制御ＣＰＵ２５によって更新する方法も考えられる。
【００４２】
更に、電子錠ごとに固有の鍵コードを使わずに、ＵＳＢ鍵のシリアル番号を電子錠本体に登録しておき、前記シリアル番号が認識されてから前記ＵＳＢ鍵の指紋センサーで検出した指紋の生データーを電子錠本体に送出し、前記電子錠本体に格納されたアルゴリズムで指紋認証を受ける方法も考えられる。この場合は、各ＵＳＢ鍵５の指紋データーは電子錠のメモリー１４に格納され、鍵受入部３にＵＳＢ鍵５が挿入されるごとに電子錠制御ＣＰＵ２５はメモリー２７の指紋特徴データーとアプリケーションプログラム２６の指紋認証アルゴリズムを使って指紋認証を行うことになる。
【００４３】
また、電子錠制御ＣＰＵ２５をインターネットなどの外部ネットワークと接続することにより、ＵＳＢ接続を可能とした外部ＰＣを使って子鍵２４を使って遠隔からドア２の解錠を実施することも考えられる。
【００４４】
更に、インターフェースやプロトコルなどが複数存在して利用不便なＩＣカードシステムの代わりに本発明による認証機能付きＵＳＢ鍵を使うことにより、従来のような煩わしさ無しにＰＣログイン管理、社員の入出退管理、会員カード管理などの用途にＩＣカードシステムの代用としての用途、電子マネー、物品の自動受渡システムでの利用、重要情報の管理鍵としての利用が考えられる。このような場合において、前記ＩＣカードシステムとは異なり高価なリーダーライタが不要となるのでシステムのコストダウンが期待できる。
【産業上の利用可能性】
【００４５】
機械的な鍵を使う場合には、鍵の内部構造についての知識を持った専門家に依頼して鍵を開けてもらうことも可能であるが、電子錠はソフトウェア的な解錠プロセスが複雑なので鍵の専門家に解錠を依頼することが難しく、また管理会社にしても部屋の鍵を無くした度に呼び出されて鍵を開けてもらうのは呼ぶ側も呼ばれる側も面倒であり、また時間や工数的にも無駄となる。本発明のＵＳＢ鍵を使うことにより、部屋の電子錠本体を使い、部屋管理マスター鍵と子鍵で簡単に有効な子鍵を生成できるようになるので、電子錠の普及が加速される。
【図面の簡単な説明】
【００４６】
【図１】電子錠の適用例を示す図
【図２】電子鍵の拡大斜視図
【図３】電子錠本体の分解斜視図
【図４】電子鍵に使われるデーターフォーマットの例
【図５】（ａ）ゼロコード鍵から管理会社マスター鍵を生成する方法            （ｂ）管理会社マスター鍵から部屋管理マスター鍵を生成する方法            （ｃ）部屋管理マスター鍵から子鍵を生成する方法
【図６】電子錠駆動制御部の構成を示すブロック図
【図７】鍵制御部の構成を示すブロック図
【図８】指紋登録の手順を示すフローチャート
【図９】施解錠の手順を示すフローチャート
【図１０】鍵更新登録の手順を示すフローチャート
【符号の説明】
【００４７】
１…電子錠本体、  １ａ…電子錠制御基板、  ２…部屋ドア、  ２ａ…管理室ドア、  ２ａ…ドア枠、  ３…ＵＳＢ鍵受入部材、  ３ａ…赤青二色ＬＥＤ、  ４…ラッチ、  ５…ＵＳＢ鍵、  ６…ＵＳＢコネクター、  ７…指紋センサー、  ８…ＵＳＢ鍵制御基板、  ９ａ…表示部、  ９ｂ…数字ボタン、  ９ｃ…警告ブザー、  １０ａ…登録ボタン、  １０ｂ…発行ボタン、  １１…鍵コードのフォーマット、  １２…１次発行データー、  １３…２次発行データー、  １４…会社コード、  １５…ロケーションコード、  １６…部屋コード、  １７…グループコード、  １８…発行日付及び時刻データー、  １９…バージョンコード、  ２０…ユーザ領域、  ２１…ゼロコード鍵、  ２２…管理会社マスター鍵、  ２３…部屋マスター鍵、  ２４…子鍵、  ２５…電子錠制御ＣＰＵ、  ２６…アプリケーションプログラム、  ２６ａ…登録更新用プログラム、  ２６ｂ…解施錠用プログラム、  ２７…メモリー、  ２８…駆動回路、  ２９…ＵＳＢ鍵ＣＰＵ、  ３０…メモリー、  ３１…指紋特徴データー、  ３２…鍵コード。
【図１】
2008106509.tif 000003
【図２】
2008106509.tif 000004
【図３】
2008106509.tif 000005
【図４】
2008106509.tif 000006
【図５】
2008106509.tif 000007
【図６】
2008106509.tif 000008
【図７】
2008106509.tif 000009
【図８】
2008106509.tif 000010
【図９】
2008106509.tif 000011
【図１０】
2008106509.tif 000012